(57)【要約】【課題】本発明は、本人確認が容易で、測定データのプライバシーが守れ、継続的にデータ管理でき、直ちに最新のデータを更新できる健康管理用ネットワークカメラとデータベースサーバを提供することを目的とする。【解決手段】本発明は、ネットワークを介してカメラで撮像した画像を端末に送信するとともに、該端末とは双方向で音声通信が行える健康管理用ネットワークカメラであって、被健康管理者の診察用メモリカードから認証データを読み出すためのカードリーダが設けられるとともに、制御部が該認証情報から本人認証を行い、医療者用クライアント端末に医療資格を示す認証情報を入力させるための入力ページを送信し、医療権限があることを確認ができた場合に、制御部が前記被健康管理者の過去の測定データをデータベースサーバに要求することを特徴とする。【選択図】図１
2005211197.tif 000002
【特許請求の範囲】
【請求項１】
ネットワークを介してカメラで撮像した画像を端末に送信するとともに、該端末とは双方向で音声通信が行える健康管理用ネットワークカメラであって、
被健康管理者の診察用メモリカードに記録された認証情報を読み出すためのカードリーダが設けられるとともに、被健康管理者の本人確認のための認証情報を記憶した第１認証用記憶部が設けられ、制御部によって各認証情報を比較して本人認証を行うことを特徴とする健康管理用ネットワークカメラ。
【請求項２】
医療関係者の認証情報を記憶した第２認証用記憶部が設けられ、医療者用クライアント端末から画像要求されたとき、前記制御部が医療資格を示す認証情報を入力させるための入力ページを送信し、入力された情報から医療権限があることを確認することを特徴とする請求項１記載の健康管理用ネットワークカメラ。
【請求項３】
本人確認と医療権限の確認ができた場合に、前記制御部が前記被健康管理者の過去の測定データをデータベースサーバに要求することを特徴とする請求項２記載の健康管理用ネットワークカメラ。
【請求項４】
前記制御部が、測定センサで測定した最新のデータによって前記データベースサーバから受信した過去の測定データを更新することを特徴とする請求項３記載の健康管理用ネットワークカメラ。
【請求項５】
本人確認と医療権限の確認ができた場合に、カメラ操作の制限を変更または解除することを特徴とする請求項２〜４のいずれかに記載の健康管理用ネットワークカメラ。
【請求項６】
本人確認ができない場合に、報知手段によって確認できない旨を報知することを特徴とする請求項１〜５のいずれかに記載の健康管理用ネットワークカメラ。
【請求項７】
被健康管理者と医療関係者の音声通信後に、該医療関係者が医療者用クライアント端末から画像要求することを特徴とする請求項１〜６のいずれかに記載の健康管理用ネットワークカメラ。
【請求項８】
ネットワークに接続され、被健康管理者の本人確認のための認証情報と該被健康管理者の過去の測定データを格納したデータベースが設けられたデータベースサーバであって、健康管理用ネットワークカメラからの要求があると、本人確認を行い、認証されたとき前記被健康管理者の過去の測定データを送信することを特徴とするデータベースサーバ。
【請求項９】
健康管理用ネットワークカメラから更新された測定データを受信すると、前記データベースを更新することを特徴とする請求項８記載のデータベースサーバ。
【発明の詳細な説明】
【技術分野】
【０００１】
本発明は、被健康管理者が在宅でも医療関係者の指示を受けながら健康診断できる健康管理用ネットワークカメラ、被健康管理者の測定データのデータベースが設けられたデータベースサーバに関するものである。
【背景技術】
【０００２】
近年、過疎地等で医師の数が減り、無医村も多くなっている。このため無医村の診療施設と遠隔地の医師の間をネットワークで結び、医師による診断を得るというシステムが開発されている。しかし、これらは多くの場合所定の診療所と医療施設を結び、ある時点の患者の診断を行うもので、継続的な健康管理のためのシステムを構築するものではない。このような高度の遠隔医療を行うシステムとして、例えば（特許文献１）がある。しかし、今後予想される高齢化社会では、高齢者や要介護者に対する体調不良時における正確で迅速な診断だけでなく、その予兆を見つけるのが重要で、如何に異常を未然に見つけ出すのかという健康管理がきわめて重要である。
【０００３】
ところで、最近、ネットワークカメラで画像を撮像し、インターネット等のネットワークを介してコンピュータ装置に送信するネットワークシステムが普及している。そしてごく最近ではスピーカやマイクを搭載して画像と同時に音声通信まで行えるネットワークカメラが開発されている。このネットワークカメラであれば、診療所に出向かなくとも高齢者や要介護者の様子を確認できる。
【特許文献１】特開２０００−１１６７３２号公報
【発明の開示】
【発明が解決しようとする課題】
【０００４】
しかし、ネットワークカメラを利用するにしても、高齢者や要介護者がネットワークカメラを使って医療関係者と通信しながら、継続的に健康管理を行うには、本人確認が容易に行えること、本人と医師等医療関係者以外が測定データにアクセスできないようにプライバシーが守れること、継続的で安全なデータ管理、健康測定時の様子確認ができること、継続的なデータと測定したばかりのデータから最新のデータを編纂できること、医師等へ直ちにデータを提供できることが必要である。
【０００５】
そこで本発明は、本人確認が容易で、測定データのプライバシーが守れ、継続的にデータ管理でき、直ちに最新のデータを更新できる健康管理用ネットワークカメラとデータベースサーバを提供することを目的とする。
【課題を解決するための手段】
【０００６】
本発明は、ネットワークを介してカメラで撮像した画像を端末に送信するとともに、該端末とは双方向で音声通信が行える健康管理用ネットワークカメラであって、被健康管理者の診察用メモリカードに記録された認証情報を読み出すためのカードリーダが設けられるとともに、被健康管理者の本人確認のための認証情報を記憶した第１認証用記憶部が設けられ、制御部によって各認証情報を比較して本人認証を行うことを主要な特徴とする。
【発明の効果】
【０００７】
本発明の健康管理用ネットワークカメラとデータベースサーバは、本人確認が容易で、測定データのプライバシーが守れ、継続的にデータ管理でき、直ちに最新のデータを更新できる。
【発明を実施するための最良の形態】
【０００８】
上記課題を解決するためになされた本発明の実施のための第１の形態は、ネットワークを介してカメラで撮像した画像を端末に送信するとともに、該端末とは双方向で音声通信が行える健康管理用ネットワークカメラであって、被健康管理者の診察用メモリカードに記録された認証情報を読み出すためのカードリーダが設けられるとともに、被健康管理者の本人確認のための認証情報を記憶した第１認証用記憶部が設けられ、制御部によって各認証情報を比較して本人認証を行う健康管理用ネットワークカメラであり、診察用メモリカードとカードリーダを使うだけであるため本人確認が容易で、測定データのプライバシーが守れ、最新のデータを更新できる。
【０００９】
本発明の実施のための第２の形態は、第１の形態において、医療関係者の認証情報を記憶した第２認証用記憶部が設けられ、医療者用クライアント端末から画像要求されたとき、制御部が医療資格を示す認証情報を入力させるための入力ページを送信し、入力された情報から医療権限があることを確認する健康管理用ネットワークカメラであり、医療関係者の確認が容易で、測定データのプライバシーが守れる。
【００１０】
本発明の実施のための第３の形態は、第２の形態において、本人確認と医療権限の確認ができた場合に、制御部が被健康管理者の過去の測定データをデータベースサーバに要求する健康管理用ネットワークカメラであり、本人確認と医療権限の確認が行われるため、測定データのプライバシーが守れ、継続的にデータ管理でき、直ちに最新のデータを更新できる。
【００１１】
本発明の実施のための第４の形態は、第３の形態において、制御部が、測定センサで測定した最新のデータによってデータベースサーバから受信した過去の測定データを更新する健康管理用ネットワークカメラであり、健康管理用ネットワークカメラには測定データは記録されていないため、測定データのプライバシーが守れ、継続的にデータ管理でき、直ちに最新のデータを更新できる。
【００１２】
本発明の実施のための第５の形態は、第２〜４のいずれかの形態において、本人確認と医療権限の確認ができた場合に、カメラ操作の制限を変更または解除する健康管理用ネットワークカメラであり、健康診断を行うとき以外は確実にプライバシーが守れる。
【００１３】
本発明の実施のための第６の形態は、第１〜５のいずれかの形態において、本人確認ができない場合に、報知手段によって確認できない旨を報知する健康管理用ネットワークカメラであり、本人確認に失敗した場合に、再度直ちに認証をすることができる。
【００１４】
本発明の実施のための第７の形態は、第１〜６のいずれかの形態において、被健康管理者と医療関係者の音声通信後に、該医療関係者が医療者用クライアント端末から画像要求する健康管理用ネットワークカメラであり、音声通信だけで画像送信を要求させるため、プライバシーが守れる。
【００１５】
本発明の実施のための第８の形態は、ネットワークに接続され、被健康管理者の本人確認のための認証情報と該被健康管理者の過去の測定データを格納したデータベースが設けられたデータベースサーバであって、健康管理用ネットワークカメラからの要求があると、本人確認を行い、認証されたとき被健康管理者の過去の測定データを送信するデータベースサーバであり、本人確認が容易で、測定データのプライバシーが守れ、継続的にデータ管理できる。
【００１６】
本発明の実施のための第９の形態は、第８の形態において、健康管理用ネットワークカメラから更新された測定データを受信すると、データベースを更新するデータベースサー
バであり、本人確認が容易で、測定データのプライバシーが守れ、継続的にデータ管理でき、直ちに最新のデータを更新できる。
【実施例１】
【００１７】
本発明の実施例１の健康管理用ネットワークカメラと医療者用クライアント端末、被健康管理者データベースサーバについて図面に基づいて説明する。実施例１の健康管理用ネットワークカメラと医療者用クライアント端末は画像と音声で通信を行い、健康管理用ネットワークカメラと被健康管理者データベースサーバとはデータ通信を行う。図１は本発明の実施例１における健康管理用ネットワークカメラを用いたネットワークシステムの構成図である。
【００１８】
図１において、１は被健康管理者の画像を送信する健康管理用ネットワークカメラ、２はインターネットやイントラネット等のネットワークで、画像と音声その他のデータ通信が行える通信網である。３は医師や看護士といった医療関係者が健康管理用ネットワークカメラ１から送信された画像を受信して表示するとともに、健康管理用ネットワークカメラ１を制御できる通信制御部（ブラウザ等）を搭載したコンピュータ装置等の医療者用クライアント端末である。４は被健康管理者のすべてのデータを蓄積したデータベースサーバである。実施例１のネットワークシステムは、健康管理用ネットワークカメラ１と医療者用クライアント端末３、データベースサーバ４、ネットワーク２とから構成される。医療者用クライアント端末３、データベースサーバ４については後述する。
【００１９】
５は被健康管理者が携帯し、医療者用クライアント端末３と接続して健康診断を希望する正規の人間かの認証を行うための診察用メモリカードである。この診察用メモリカード５のデータを後述のカードリーダ２０によって読み出し、被健康管理者の本人確認を行う。
【００２０】
１０は健康管理用ネットワークカメラ１に設けられ、被健康管理者を撮影し、これを画像信号に変換して出力するカメラ部であり、１０ａはレンズ、１０ｂは被健康管理者像を光電変換するＣＣＤあるいはＣＭＯＳ等の撮像素子から構成される撮像部である。
【００２１】
１０ｃは撮像部１０ｂから出力された映像信号のレベルを制御し、撮像部１０ｂから出力される信号レベルが小さくなったときに、輝度信号の信号レベルを検知して信号レベルを調整する信号レベル調整部、１０ｄは信号レベル調整部１０ｃからの出力信号を処理し、輝度信号（Ｙ）および色信号（Ｃｂ，Ｃｒ）を発生する映像信号処理部である。１０ｅはカメラ部１０のパンチルトやズームを制御する駆動部である。映像信号処理部１０ｄが行う具体的な処理には、輝度／色分離、ＣＤＳ（相関二重サンプリング回路）、ホワイトバランス、輪郭補正、ガンマ補正等がある。発生される映像信号は、輝度信号および色信号が分離した形態、合成された形態あるいは原色ＲＧＢ信号の形態等が考えられる。カメラ部１０は、実施例１においては健康管理用ネットワークカメラ１に内蔵されているが、健康管理用ネットワークカメラ１とは別体として外付けのカメラとしてもよい。
【００２２】
１１は送受信するデータをデータ処理するコーディック部、１２は画像信号を圧縮／符号化処理する画像データ処理部である。画像データ処理部１２で実行する圧縮は、ＪＰＥＧをはじめＭＰＥＧその他の形式で行い、符号化を行って所定のヘッダーを追加して出力する。１３は健康管理用ネットワークカメラ１とネットワーク２の間のインターフェースとなる通信制御部である。通信制御部１３は、画像通信、音声通信、データ転送をプロトコルＴＣＰ／ＩＰであって、ＨＴＴＰ，ＳＩＰ（Session Initiation Protocol）等で実行する。例えば、クライアントからの指示をＨＴＴＰでカメラ部１０に伝えるとともに、健康管理用ネットワークカメラ１からの画像を表示したウェブページ、測定データ等をＨＴＴＰ、音声データをＳＩＰ等でネットワーク２に送出する。なお、通信制御部１３は有
線でネットワーク２に接続されるだけでなく、無線部（図示しない）と基地局（図示しない）を介して無線を使って接続することも可能である。
【００２３】
１４は健康管理用ネットワークカメラ１が受信した音声受信データ（デジタルデータ）をデコードする音声受信処理部、１５は健康管理用ネットワークカメラ１に入力された音声をコード化する音声送信処理部、１６はエコーを抑制するためのエコーキャンセラ、１７は健康管理用ネットワークカメラ１の周囲の音声を入力するためのマイク、１７ａは音声出力調整回路、１８は音声を出力するためのスピーカ、１８ａは音声入力調整回路である。実施例１の健康管理用ネットワークカメラ１においては、マイク１７とスピーカ１８を使って被健康管理者が医療者用クライアント端末３との音声回線を確立し、その後医療関係者の指示の下、画像を送信する。
【００２４】
１９は健康管理用ネットワークカメラ１の制御部である。制御部１９は中央演算処理装置（ＣＰＵ）とその制御プログラム及びデータを記憶した後述する記憶部２１を備えており、各制御機能メモリからロードした制御プログラムにより機能実現手段として実行される。２０は診察用メモリカード５を挿入してデータを読み出し、被健康管理者が誰であるのか本人確認するためのカードリーダである。なお、診察用メモリカード５には、本人確認のための被健康管理者の「名前」や「被健康管理者番号」等の認証情報が記録されている。
【００２５】
２１は一時メモリも含めて健康管理用ネットワークカメラ１のデータを記憶する記憶部、２１ａは被健康管理者の認証を行う第１認証データ記憶部、２１ｂは医療者用クライアント端末３から画像要求があったときに権限ある端末からのアクセスであることを認証するための医療関係者の認証情報を記憶した第２認証データ部、２１ｃはデータベースサーバ４に測定データを転送するためにメモリするデータ記憶部である。なお、このデータ蓄積部２１ｃのデータを別途メモリカードに出力し、診療所に持参することもできる。
【００２６】
２２は測定センサである。測定センサ２２には、体重、体温、血圧、心拍数、体脂肪等のさまざまなセンサがある。２３はカードリーダ２０が読み出したデータでは被健康管理者を確認できなかったとき報知するための表示部、２４は医療者用クライアント端末３にアクセスするための入力部である。報知手段としては、警報ランプ等の表示部２３のほかに、スピーカ１８から音声で報知することも有効である。
【００２７】
次に、医療者用クライアント端末３について図２に基づいて説明する。図２は本発明の実施例１における医療者用クライアント端末の構成図である。図２において、３１は医療者用クライアント端末３とネットワーク２の間のインターフェースとなる通信制御部である。通信制御部３１は、画像通信、音声通信、データ転送をプロトコルＴＣＰ／ＩＰ、ＨＴＴＰ，ＳＩＰ等で実行する。３２は送受信するデータを処理するコーディック部、３２ａは音声受信データ（デジタルデータ）をデコードする音声受信処理部、３２ｂは健康管理用ネットワークカメラ１に入力された音声をコード化する音声送信処理部、３２ｃは送信された画像データをアナログ信号に変える画像データ処理部である。
【００２８】
３３は音声を入力するためのマイク、３３ａは音声入力調整回路、３４は音声を出力するためのスピーカ、３４ａは音声出力調整回路である。３５は制御部、３６は画像を表示するためのモニタ、３６ａは画像データ処理部３２ｃで処理されたアナログ画像信号をレベル調整してモニタ３６に表示させる表示回路、３７はキーボードやマウス等の入力手段である。なお、制御部３５はＣＰＵに制御プログラムをロードして構成される機能実現手段である。
【００２９】
医療者用クライアント端末３は、健康管理用ネットワークカメラ１から音声通信の要求
があると、医師等の医療関係者が応答して音声回線を確立する。次いで、医療関係者が健康管理用ネットワークカメラ１にアクセスして、モニタ３６にカメラ制御用のウェブページを取り寄せると、制御用のツールバーとともに被健康管理者の画像が表示される。なお、このときカメラの操作条件はプライバシー保護のため一部制限されている。この状態で音声通話により被健康管理者の健康状態について尋ね、被健康管理者と医師等が共同して健康診断の要否を決定する。
【００３０】
健康診断を行う場合、被健康管理者は「名前」と「被健康管理者番号」が記録されている診察用メモリカード５をカードリーダ２０に装着する。場合によっては「パスワード」を入力部２４から入力する。これにより、被健康管理者の本人確認がされ、医療者用クライアント端末３はデータベースサーバ４に過去の測定データを要求する。同時に、測定センサ２２を使って体重、体温、血圧、心拍数、体脂肪等を測定することが可能になる。そして、以上の手続きで本人確認がなされたため、カメラの操作制限が健康診断のための操作条件に変更もしくは解除され、医師等の医療関係者はモニタ３６のカメラ制御用のウェブページからこの範囲内で操作し、健康管理用ネットワークカメラ１の角度操作やズームを行う。測定データはデータベースサーバ４からの過去の測定データとともに最新の１つの更新データとして編集し、医療者用クライアント端末３に送信するとともに、データベースサーバ４に送信してデータベースを更新する。
【００３１】
そこで、図３（ａ），（ｂ）を使って健康管理用ネットワークカメラ１の制御部１９において、健康診断を実行する認証及びデータ処理機能について説明する。これは制御部１９を構成するＣＰＵに読み出されるプログラムである。図３（ａ）は本発明の実施例１における健康管理用ネットワークカメラの認証及びデータ処理機能の機能ブロック図、図３（ｂ）は本発明の実施例１における被健康管理者データベースの構成図である。
【００３２】
５１は医療関係者がカメラ制御用のウェブページを得るための入力ページを受信して、医療資格を示す認証情報を入力したとき、第２認証データ部２１ｂの認証情報と比較して医療権限があることを確認する医療者確認手段、５２は診察用メモリカード５がカードリーダで読み出され、第１認証データ記憶部２１ａを参照して被健康管理者本人であることを認証する本人認証手段である。また、５３は本人認証が終わったあと、データベースサーバ４に過去の測定データを要求するデータ取得手段である。このデータ取得手段５３は、医療者確認手段５１が認証を終了した後、本人認証手段５２が認証した本人情報と健康管理用ネットワークカメラ１の機器コードを通知し、併せてデータを要求するウェブページ生成して送信する。
【００３３】
ところで、データ取得手段５３から測定データを要求される被健康管理者データベースは図３（ｂ）に示すような構成を有している。図３（ｂ）において、６１は登録されている被健康管理者番号、６２は被健康管理者の名前、６３は健康管理用ネットワークカメラ１の機器コードであるＭＡＣアドレス、６４は本人確認の際に入力されたパスワード、６５は個人別の過去の測定データである。被健康管理者番号６１，名前６２，ＭＡＣアドレス６３，パスワード６４のデータが送信されたデータとすべて合致したとき、データベースサーバ４は過去の測定データを読み出し、健康管理用ネットワークカメラ１に送信する。
【００３４】
続いて、図３（ａ）に戻って、５４は操作制限変更手段である。プライバシー保護を図って当初はカメラの角度操作やズームに制限を加えているが、医療関係者による健康診断を行うことが明らかになったため、健康診断のための操作条件に制限を変更または解除する。５５はデータ編集手段であり、データベースサーバ４から送信された過去の測定データと、測定センサ２２によって測定した最新の測定データを合わせて１つの更新した測定データに編集する。この更新した測定データはデータ記憶部２１ｃにメモリされる。
【００３５】
５６はデータ記憶部２１ｃにメモリされた更新データを医療者用クライアント端末３に送信するデータ通知手段、５７はこの更新データをデータベースサーバ４に送信するデータベース更新手段である。データ通知手段５６が通知した更新データは、カメラ制御用のウェブページで被健康管理者の画像とともにモニタ３６に表示される。
【００３６】
このように実施例１においては、健康管理用ネットワークカメラ１に健康診断を実行する認証及び測定データ処理機能を持たせ、データ管理するためのデータベースサーバを設けたことにより、被健康管理者の本人確認が容易になり、測定データが漏洩することがなく、継続的に容易にデータ管理でき、医療関係者から要求があれば直ちに最新のデータを更新できるネットワークシステムを構築できる。
【００３７】
次に、本発明の実施例１の健康管理用ネットワークカメラと、医療者用クライアント端末、データベースサーバ間で行われる認証とデータ処理について、図４のシーケンスチャートに基づいて説明する。また、健康管理用ネットワークカメラで行われる処理を図５のフローチャートで説明する。図４は本発明の実施例１におけるネットワークシステムの認証とデータ処理のシーケンスチャート、図５は本発明の実施例１における健康管理用ネットワークカメラでの処理のフローチャートである。
【００３８】
図４に示すように、健康管理用ネットワークカメラ１から音声通信の要求があると（ｓｑ１）、医療者用クライアント端末３は医師等の医療関係者が応答を返して音声回線を確立する（ｓｑ２）。次いで、医療関係者が健康管理用ネットワークカメラ１にアクセスして、モニタ３６にカメラ制御用のウェブページを要求する（ｓｑ３）。このとき送られてきた認証用の入力ページを使って医療資格を示す認証情報を送信すると、被健康管理者の画像が表示されたカメラ制御用のウェブページが送信される（ｓｑ４）。
【００３９】
健康診断を行う場合、被健康管理者は診察用メモリカード５をカードリーダ２０に挿入する。制御部１９は本人確認の認証ができたか確認し（ｓｑ５）、確認できなかった場合は表示部２３で報知するか、スピーカ１８から報知する（ｓｑ６）。図示はしないが、確認できなかった旨の報知後、本人確認を繰り返し、同様の結果であればエラー処理する。認証できた場合は、データベースサーバ４に過去の測定データを要求する（ｓｑ７）。同時に、測定センサ２２を使って測定を行う（ｓｑ８）。そして、本人確認がなされたため、カメラの操作制限が健康診断のための操作条件に変更または解除される（ｓｑ９）。
【００４０】
データベースサーバ４では、送信された本人情報で再度認証を行い（ｓｑ１０）、認証できなかったときにはエラーの通知を送信し（ｓｑ１１）、認証できた場合は、過去の測定データを読み出して送信する（ｓｑ１２）。健康管理用ネットワークカメラ１では、過去の測定データが送られてきた場合、測定データとこの過去の測定データで最新の１つの更新データとして編集し（ｓｑ１３）、医療者用クライアント端末３に送信するとともに（ｓｑ１４）、データベースサーバ４に送信してデータベースを更新する（ｓｑ１５）。
【００４１】
以上のシーケンスの中で健康管理用ネットワークカメラ１で行われる動作について、以下詳細に説明する。図５において、健康管理用ネットワークカメラ１は医療者用クライアント端末３に音声通話を要求し（ｓｔｅｐ１）、音声回線を確立する（ｓｔｅｐ２）。次いで、画像を要求されたかを判断する（ｓｔｅｐ３）。画像を要求しなければ音声通話で終了する。
【００４２】
画像を要求された場合、要求ページを使って医療関係者か否かをチェックし（ｓｔｅｐ４）、医療関係者でなければそのまま音声通話を続け、医療関係者であった場合には診察用メモリカード５で被健康管理者本人であることを確認する（ｓｔｅｐ５）。本人確認で
きなかった場合は音声通話のままとし、本人確認できた場合はデータベースサーバ４に過去の測定データを要求し（ｓｔｅｐ６）、この過去の測定データを取得する（ｓｔｅｐ７）。
【００４３】
ｓｔｅｐ４において医療関係者の確認、ｓｔｅｐ５において本人確認ができているので、測定センサ２２で測定を行う（ｓｔｅｐ８）。このとき、送信された画像を閲覧して医療関係者が測定をチェックし（ｓｔｅｐ９）、再度の測定を促せばｓｔｅｐ８に戻り、ＯＫの場合、測定結果と過去の測定データとで１つの更新データを編集する（ｓｔｅｐ１０）。この更新データを医療者用クライアント端末３に送信し（ｓｔｅｐ１１）、データベースサーバ４にこの更新データを送信する（ｓｔｅｐ１２）。
【００４４】
その後、医療関係者が更新データと画像、被健康管理者との会話を基に健康診断を行い、一連の処理が終わる。健康診断後に通信を切断すると、データ記憶部２１ｃとデータベースサーバ４のデータベースがデータ更新されてすべて初期値に戻る。
【００４５】
このように実施例１によれば、被健康管理者の本人確認が容易になり、測定データが漏洩することがなく、継続的に被健康管理者の健康データを容易に管理でき、医療関係者から要求があれば直ちに測定して更新できるネットワークシステムを構築できる。
【産業上の利用可能性】
【００４６】
本発明は、医療関係者と通信しながら容易に健康測定が行え、プライバシーが守れ、継続的に健康データを管理できる健康管理用ネットワークカメラとこれを操作する医療者用クライアント端末、データベースサーバ、これらからなるネットワークシステムに適用できる。
【図面の簡単な説明】
【００４７】
【図１】本発明の実施例１における健康管理用ネットワークカメラを用いたネットワークシステムの構成図
【図２】本発明の実施例１における医療者用クライアント端末の構成図
【図３】（ａ）本発明の実施例１における健康管理用ネットワークカメラの認証及びデータ処理機能の機能ブロック図、（ｂ）本発明の実施例１における被健康管理者データベースの構成図
【図４】本発明の実施例１におけるネットワークシステムの認証とデータ処理のシーケンスチャート
【図５】本発明の実施例１における健康管理用ネットワークカメラでの処理のフローチャート
【符号の説明】
【００４８】
１    健康管理用ネットワークカメラ
２    ネットワーク（通信網）
３    医療者用クライアント端末
４    データベースサーバ
５    診察用メモリカード
１０    カメラ部
１０ａ    レンズ
１０ｂ    撮像部
１０ｃ    信号レベル調整部
１０ｄ    映像信号処理部
１０ｅ    駆動部
１１，３２    コーディック部
１２，３２ｃ    画像データ処理部
１３    通信制御部
１４，３２ａ    音声受信処理部
１５，３２ｂ    音声送信処理部
１６    エコーキャンセラ
１７，３３    マイク
１７ａ，３４ａ    音声出力調整回路
１８，３４    スピーカ
１８ａ，３３ａ    音声入力調整回路
１９，３５    制御部
２０    カードリーダ
２１    記憶部
２１ａ    第１認証データ記憶部
２１ｂ    第２認証データ部
２１ｃ    データ記憶部
２２    測定センサ
２３    表示部
２４    入力部
３１    通信制御部
３６    モニタ
３６ａ    表示回路
３７    入力手段
５１    医療者確認手段
５２    本人認証手段
５３    データ取得手段
５４    操作制限変更手段
５５    データ編集手段
５６    データ通知手段
５７    データベース更新手段
６１    被健康管理者番号
６２    名前
６３    ＭＡＣアドレス
６４    パスワード
６５    過去の測定データ
【図１】
2005211197.tif 000003
【図２】
2005211197.tif 000004
【図３】
2005211197.tif 000005
【図４】
2005211197.tif 000006
【図５】
2005211197.tif 000007